(57)【要約】【課題】使用者の選択により水有り調理と水無し調理のどちらも良好に行なうことができるようにする。【解決手段】使用者が水有り調理を行いたい場合には、受け皿１２内に水を入れた状態で、水有キー２５により水有り調理を選択する。すると、制御装置は、上、下ヒータ１０，１１を制御して水有り調理を自動的に実行する。使用者が水無し調理を行いたい場合には、受け皿１２内に水を入れない状態で、水無キー２６により水無し調理を選択する。すると、制御装置は、上、下ヒータ１０，１１を制御して水無し調理を自動的に実行する。【選択図】図１
2007298238.tif 000002
【特許請求の範囲】
【請求項１】
加熱室と、
この加熱室に対して出し入れ可能に収納され、水を貯留することが可能な受け皿と、
被調理物を前記受け皿の上方となる位置で支持するように設けられた載置台と、
前記被調理物を加熱する発熱手段と、
水有り調理と水無し調理とを選択する調理選択キーと、
この調理選択キーの操作に基づき前記発熱手段を制御して前記水有り調理と前記水無し調理とを実行する制御手段とを備えたことを特徴とする加熱調理器。
【請求項２】
調理選択キーは、調理を開始させるスタートキーを兼ねていることを特徴とする請求項１記載の加熱調理器。
【請求項３】
発熱手段は、載置台に載置される被調理物の上方と下方に存していることを特徴とする請求項１または２記載の加熱調理器。
【請求項４】
受け皿内の水の有無を検出する水有無検出手段を備え、この水有無検出手段は、前記受け皿の温度を検出する温度センサであることを特徴とする請求項１ないし３のいずれかに記載の加熱調理器。
【請求項５】
水有無検出手段を構成する温度センサは、受け皿の最上面より下方の、加熱室の側面、後面、及び底面のいずれかに配置したことを特徴とする請求項４記載の加熱調理器。
【請求項６】
制御手段は、調理選択キーによる設定内容と、水有無検出手段による検出結果とが矛盾する場合、水有無検出手段による検出結果を優先して調理を実行することを特徴とする請求項４または５記載の加熱調理器。
【請求項７】
報知手段を備え、制御手段は、調理選択キーによる設定内容と、水有無検出手段による検出結果とが矛盾する場合、前記報知手段により、調理選択キーによる設定内容と水有無検出手段による検出結果とが違っていることを報知することを特徴とする請求項４または５記載の加熱調理器。
【発明の詳細な説明】
【技術分野】
【０００１】
本発明は、魚などの被調理物を発熱体による加熱により調理する構成の加熱調理器に関する。
【背景技術】
【０００２】
この種の加熱調理器においては、次のような構成のものが知られている（例えば、特許文献１，２参照）。被調理物として例えば魚を焼く場合、加熱室内に出し入れ可能に収納される受け皿（容器）に水を入れると共に、受け皿上に配置された載置台上に魚を載せ、これらを加熱室内に収納する。そして、操作パネルのキーを操作して魚焼きの調理を開始させると、加熱室内に設けられたヒータが制御装置により制御され、そのヒータの加熱により魚が自動的に焼き上げられるようになっている。
【０００３】
この場合、加熱室の底部或いは下部に受け皿の温度を検出する温度センサが設けられていて、この温度センサにより受け皿内に水が有るか無いかを検出し、受け皿内に水が無い、或いは途中で無くなったことを検出した場合には、発熱体による加熱を停止するか、或いは出力を低くして調理を行なうようになっている。
【特許文献１】特開平５−２４０４５３号公報
【特許文献２】特開２００１−７４２５０号公報
【発明の開示】
【発明が解決しようとする課題】
【０００４】
ところで、魚を焼く場合、受け皿内に水を貯留した状態で調理をする、いわゆる水有り調理と、受け皿内に水を入れないで調理を行なう、いわゆる水無し調理とがある。水有り調理の場合は、火力を強くできるので、短時間でおいしく焼くことができる利点があるが、受け皿の出し入れ時に水をこぼし易いという欠点がある。水無し調理の場合は、受け皿に水を入れないので、受け皿の出し入れ時に水をこぼすというおそれはないが、受け皿の温度が高くなり、受け皿に油などが焼き付いて掃除が大変となる欠点がある。
【０００５】
上記特許文献１，２はどちらの場合も、受け皿内に水を貯留した状態で加熱調理することを前提としている。このため、水有り調理は良好に行なうことができるが、水無し調理は行なうことができない。仮に水無し調理を行なうことができたとしても、良好に行なうことはできないものであった。
【０００６】
本発明は上記した事情に鑑みてなされたものであり、その目的は、使用者の選択により水有り調理と水無し調理のどちらも良好に行なうことができる加熱調理器を提供するにある。
【課題を解決するための手段】
【０００７】
上記した目的を達成するために、本発明の加熱調理器は、加熱室と、この加熱室に対して出し入れ可能に収納され、水を貯留することが可能な受け皿と、被調理物を前記受け皿の上方となる位置で支持するように設けられた載置台と、前記被調理物を加熱する発熱手段と、水有り調理と水無し調理とを選択する調理選択キーと、この調理選択キーの操作に基づき前記発熱手段を制御して前記水有り調理と前記水無し調理とを実行する制御手段とを備えたことを特徴とする。
【０００８】
上記構成において、使用者が水有り調理を行いたい場合には、受け皿内に水を入れた状態で、調理選択キーにより水有り調理を選択する。すると、制御手段は、発熱手段を制御して水有り調理を自動的に実行する。また、使用者が水無し調理を行いたい場合には、受け皿内に水を入れない状態で、調理選択キーにより水無し調理を選択する。すると、制御手段は、発熱手段を制御して水無し調理を自動的に実行する。
【発明の効果】
【０００９】
本発明によれば、使用者が調理選択キーにより水有り調理を設定した場合には、水有り調理を良好に行うことができ、また、調理選択キーにより水無し調理を設定した場合には、水無し調理を良好に行うことができる。
【発明を実施するための最良の形態】
【００１０】
以下、本発明の一実施形態について図面を参照して説明する。
まず、図１及び図２において、加熱調理器１の矩形箱状をなす外箱２内に、前面に開口部３ａを有した内箱３が設けられていて、この内箱３内を加熱室４としている。内箱３と外箱２との間には空間部５が形成されている。外箱２の前面部には、加熱室４の開口部３ａを開閉する扉６（図２参照）が回動可能に設けられていると共に、右横に操作パネル７（図１参照）が設けられている。
【００１１】
加熱室４内の上部には上ヒータ１０が設けられ、加熱室４内の下部には下ヒータ１１が設けられている。これら上及び下ヒータ１０，１１は、加熱調理用の発熱手段を構成する。加熱室４内の底部には、受け皿１２が出し入れ可能に収納されている。この受け皿１２は、矩形の浅底容器状をなし、内部に水を貯留できるようになっていて、加熱室４内において下ヒータ１１の下方に配置されるようになっている。受け皿１２内には、線材を組み合わせて構成された載置台１３が出し入れ可能に配置されている。
【００１２】
この載置台１３は、受け皿１２内の底部に配置される脚部１３ａと、この脚部１３ａの上方に設けられて下ヒータ１１と上ヒータ１０との間に配置される棚状の載置部１３ｂとを有していて、その載置部１３ｂ上に、魚などの被調理物１４を載置できるようになっている。従って、載置部１３ｂ上に載置された被調理物１４は、下ヒータ１１と上ヒータ１０との間に配置される。
【００１３】
加熱室４内の右上部には、加熱室４内の温度を検出する加熱室用温度センサ１５（図１参照）が設けられている。また、加熱室４の底部を構成する内箱３の底部３ｂの下面には、加熱室４の底部に配置される受け皿１２の温度を検出する受け皿用温度センサ１６が設けられている。この受け皿用温度センサ１６は、内箱３の底部３ｂを介して受け皿１２の温度を間接的に検出するもので、受け皿１２内の水の有無、すなわち受け皿１２内に水が貯留されているか否かを検出する水有無検出手段を構成している。加熱室用温度センサ１５及び受け皿用温度センサ１６は、共にサーミスタにより構成されている。
【００１４】
操作パネル７には、上部に報知手段を構成する表示部２０が設けられていると共に、この表示部２０の下方に位置させて設定部２１が設けられている。設定部２１には、丸身キー２２、切身キー２３、小魚キー２４、水有キー２５、水無キー２６、メニューキー２７が設けられている。これらのキーのうち、水有キー２５は、水有り調理を選択する調理選択キーと、調理を開始させるスタートキーを兼ねている。また、水無キー２６は、水無し調理を選択する調理選択キーと、調理を開始させるスタートキーを兼ねている。
【００１５】
操作パネル７の裏側には、マイクロコンピュータを主体に構成された制御装置３０（図３参照）が設けられていると共に、報知手段を構成するブザー３１が設けられている。制御装置３０は、加熱調理器１の動作全般を制御する機能を備えていて、制御手段を構成する。この制御装置３０は、上記設定部２１の各キー２２〜２７からの信号、加熱室用温度センサ１５及び受け皿用温度センサ１６からの信号と、予め備えた制御プログラムに基づき、表示部２０、上及び下ヒータ１０，１１、並びにブザー３１を制御する。
【００１６】
次に本実施形態の作用を、図４〜図６も参照して説明する。
図４には、本発明に関係した制御装置３０の制御内容が示されている。図５には、水有り調理の場合の、水有り自動魚焼制御の例が示され、図６には、水無し調理の場合の、水無し自動魚焼制御の例が示されている。
【００１７】
図５の水有り自動魚焼制御の場合、上ヒータ１０と下ヒータ１１を共に通電した状態で行なう。この場合、受け皿１２内に水が貯留されているので、受け皿１２の温度は１００℃以上には上がらない。図６の水無し自動魚焼制御の場合、開始時には上ヒータ１０と下ヒータ１１を共に通電し、途中からは上ヒータ１０と下ヒータ１１を交互に通電し、受け皿１２の温度がほぼ２００℃となるように制御する。この場合、受け皿１２内には水が入っていないので、受け皿１２の温度は１００℃以上となる。
【００１８】
使用者が魚を焼く調理を行なう場合、使用者は水有り調理と水無し調理のどちらかを選択する。水有り調理を行う場合には、受け皿１２に所定量の水を貯留すると共に、載置台１３の載置部１３ｂ上に被調理物１４を載せた状態で、これらを加熱室４内に収納した後、扉６を閉めた状態で設定部２１のキー操作を行なう。キー操作としては、まず、被調理物１４の形態に合わせて、丸身キー２２、切身キー２３、小魚キー２４のいずれかを選択して押圧操作する。被調理物１４が、図１，２のように例えば丸身の場合には、丸身キー２２を操作する。次いで、水有キー２５を押圧操作することになる。
【００１９】
また、水無し調理を行う場合には、受け皿１２に水は入れずに、載置台１３の載置部１３ｂ上に被調理物１４を載せた状態で、これらを加熱室４内に収納した後、扉６を閉めた状態で設定部２１のキー操作を行なう。キー操作としては、まず、水有り調理の場合と同様に、被調理物１４の形態に合わせて、丸身キー２２、切身キー２３、小魚キー２４のいずれかを選択して押圧操作し、次いで、水無キー２６を押圧操作することになる。
【００２０】
制御装置３０は、まず、図４のステップＳ１において、丸身キー２２、切身キー２３、小魚キー２４のいずれかが押圧操作されるまで待機していて、いずれかのキーが押圧操作されたら、選択されたメニューをメモリに記憶させる（ステップＳ２）。そして、水有キー２５または水無キー２６が操作されるまで待機する（ステップＳ３，Ｓ４）。水有キー２５が押圧操作された場合には（ステップＳ３で「ＹＥＳ」）、表示部２０に、水有り調理が選択されたことを表示（報知）し（ステップＳ５）、この後、水有り自動魚焼制御を開始する（ステップＳ６）。
【００２１】
水有り自動魚焼制御は、図５に示すように、上ヒータ１０と下ヒータ１１を共に通電し、被調理物１４を上下両側から加熱する。次に、受け皿１２内の水の有無を検知する（ステップＳ７）。水の有無検知は、この場合、受け皿１２の温度を受け皿用温度センサ１６により検出することで行う。受け皿１２内に水が入っている場合には、受け皿用温度センサ１６の検出温度の上昇度合は鈍く、逆に、受け皿１２内に水が入っていない場合には、受け皿用温度センサ１６の検出温度の上昇度合が急となるので、この上昇度合で水の有無を判定する。ステップＳ８で水があると判定した場合には、「ＹＥＳ」に従いステップＳ９へ移行し、調理終了か否かを判定する。調理終了か否かは、選択されたメニューに応じて予め設定された時間と加熱室用温度センサ１５の検出温度で判定する。ステップＳ９において、調理終了でないと判定された場合にはステップＳ６へ戻り、調理終了であると判定された場合には、ステップＳ１０へ移行し、調理を終了する。ここでは、上ヒータ１０と下ヒータ１１を断電すると共に、表示部２０にその旨の表示を行なう。これにより水有り調理を良好に行なうことができる。
【００２２】
ここで、水有キー２５が操作されたにもかかわらず、ステップＳ８において、水が無いと判定された場合には、水有り調理を行なおうとしていたが、受け皿１２に水を入れることを忘れていたか、或いは、水無し調理を行なおうとしていたが、誤って水有キー２５を操作してしまったことが考えられる。このような場合には、「ＮＯ」に従ってステップＳ１１へ移行し、表示部２０に水無し調理に変更したことを表示すると共に、ブザー３１を鳴らして使用者にこのことを報知する。この後、水無し自動魚焼制御に変更して調理を行なう(ステップＳ１３)。そして、調理終了か否かを判定し(ステップＳ１４)、調理終了でないと判定された場合にはステップＳ７へ戻り、調理終了であると判定された場合には、ステップＳ１０へ移行し、調理を終了する。
【００２３】
一方、使用者が水無し調理を行うべく、水無キー２６を押圧操作した場合には、ステップＳ４においてこれを検出し、「ＹＥＳ」に従ってステップＳ１５へ移行し、表示部２０に、水無し調理が選択されたことを表示（報知）し、この後、水無し自動魚焼制御を開始する（ステップＳ１６）。次に、受け皿１２内の水の有無を検知する（ステップＳ１７）。ステップＳ１８で水があると判定した場合には、「ＹＥＳ」に従いステップＳ１９へ移行し、調理終了か否かを判定する。ステップＳ１９において、調理終了でないと判定された場合にはステップＳ１６へ戻り、調理終了であると判定された場合には、ステップＳ１０へ移行し、調理を終了する。これにより水無し調理を良好に行なうことができる。
【００２４】
ここで、水無キー２６が操作されたにもかかわらず、ステップＳ１８において、水が有ると判定された場合には、水無し調理を行なおうとしていたが、受け皿１２に水を入れてしまった場合、或いは、水有り調理を行なおうとしていたが、誤って水無キー２６を操作してしまったことが考えられる。このような場合には、「ＮＯ」に従ってステップＳ２０へ移行し、表示部２０に水有り調理に変更したことを表示すると共に、ブザー３１を鳴らして使用者にこのことを報知する。この後、水有り自動魚焼制御に変更して調理を行なう(ステップＳ２２)。そして、調理終了か否かを判定し(ステップＳ２３)、調理終了でないと判定された場合にはステップＳ１７へ戻り、調理終了であると判定された場合には、ステップＳ１０へ移行し、調理を終了する。
【００２５】
上記した実施形態によれば次のような効果を得ることができる。
使用者が水有キー２５により水有り調理を設定した場合には、水有り調理を良好に行うことができ、また、水無キー２６により水無し調理を設定した場合には、水無し調理を良好に行うことができる。従って、使用者の選択により水有り調理と水無し調理のどちらも良好に行なうことができ、使い勝手を向上できる。
【００２６】
水有キー２５及び水無キー２６は共にスタートキーを兼ねているので、調理を開始する際にそのキーを見て操作することになり、水の有無の間違いが少なくなる利点がある。
載置台１３の載置部１３ｂに載置される被調理物１４の上方と下方に発熱手段を構成する上ヒータ１０と下ヒータ１１が配置されているので、被調理物１４を上下両側から効率良く加熱することができる。
【００２７】
受け皿１２内の水の有無を検出する水有無検出手段は、受け皿１２の温度を検出する受け皿用温度センサ１６により構成しているので、受け皿１２内の水の有無を良好に検出することができる。また、その受け皿用温度センサ１６は、受け皿１２の最上面より下方である、内箱３の底部３ｂ（加熱室４の底面）に配置したので、受け皿１２内の水の有無を一層良好に検出することができる。
【００２８】
制御装置３０は、調理選択キー（水有キー２５と水無キー２６）による設定内容と、水有無検出手段（受け皿用温度センサ１６）による検出結果とが矛盾する場合、水有無検出手段による検出結果を優先して調理を実行する構成としているので、入力を間違えても、準備された状態の調理を良好に行うことができる。
【００２９】
また、制御装置３０は、調理選択キー（水有キー２５と水無キー２６）による設定内容と、水有無検出手段（受け皿用温度センサ１６）による検出結果とが矛盾する場合、このことを、報知手段である表示部２０及びブザー３１により報知することにより、使用者に間違いを知らせることができる。
【００３０】
本発明は、上記した実施形態にのみ限定されるものではなく、次のように変形または拡張できる。
受け皿用温度センサ１６は、受け皿１２の温度を検出することができれば、受け皿１２の最上面より下方の、加熱室４の側面や後面に配置しても良い。
【図面の簡単な説明】
【００３１】
【図１】本発明の一実施形態を示すもので、扉を除いた状態で示す正面図
【図２】縦断右側面図
【図３】電気的構成を示すブロック図
【図４】制御装置の制御内容を示すフローチャート
【図５】水有り自動魚焼制御の制御例を示す図
【図６】水無し自動魚焼制御の制御例を示す図
【符号の説明】
【００３２】
図面中、１は加熱調理器、２は外箱、３は内箱、４は加熱室、７は操作パネル、１０は上ヒータ（発熱手段）、１１は下ヒータ（発熱手段）、１２は受け皿、１３は載置台、１４は被調理物、１６は受け皿用温度センサ（水有無検出手段）、２０は表示部（報知手段）、２５は水有キー（調理選択キー、スタートキー）、２６は水無キー（調理選択キー、スタートキー）、３０は制御装置（制御手段）、３１はブザー（報知手段）を示す。
【図１】
2007298238.tif 000003
【図２】
2007298238.tif 000004
【図３】
2007298238.tif 000005
【図４】
2007298238.tif 000006
【図５】
2007298238.tif 000007
【図６】
2007298238.tif 000008